(57)【特許請求の範囲】
【請求項１】
複数の居室用ユニットを隣接して配置し相互に連結することにより構成されるユニット住宅に適用され、階上から階下に通された配管を、互いに対向して配置された隣接する居室用ユニットの間仕切り壁間に設けた配管スペースにて、配管保持部及び取付部を含んで構成される配管固定部材を用いて支持する配管の防音支持構造であって、
階下の床材及び階下の天井材の少なくとも一方側に配管固定部材を配置し、
床材側に配置された配管固定部材についてはその取付部を当該床部材に固定し、天井材側に配置された配管固定部材についてはその取付部を当該天井材に固定した、
ことを特徴とする配管の防音支持構造。
【請求項２】
複数の居室用ユニットを隣接して配置し相互に連結することにより構成されるユニット住宅に適用され、階上から階下に通された配管を、互いに対向して配置された隣接する居室用ユニットの間仕切り壁間に設けた配管スペースにて、配管保持部及び取付部を含んで構成される配管固定部材を用いて支持する配管の防音支持構造であって、
階下の床材側及び階上の床材側或いは階下の天井材側及び階上の天井材側に配管固定部材をそれぞれ配置し、
床材側に配管固定部材を配置した場合にはその取付部を当該床材に固定し、天井材側に配管固定部材を配置した場合にはその取付部を当該天井材に固定した、
ことを特徴とする配管の防音支持構造。
【発明の詳細な説明】
【０００１】
【発明の属する技術分野】
本発明は、階上から階下に通された配管を配管スペースにて配管保持部及び取付部を含んで構成される配管固定部材を用いて支持する配管の防音支持構造に関する。
【０００２】
【従来の技術】
従来、二階及び三階の水廻り（トイレ・キッチン等）からの配管（給排水管）を建物内部で床下まで通す場合、階下の配管スペース内において配管固定金具を間仕切りの横桟に固定し、当該配管固定金具に当該配管を支持させていた。
【０００３】
簡単に説明すると、図６及び図７に示されるように、一階１００の所定位置に互いに対向して配置された間仕切り壁１０２間には、配管スペース１０４が設けられている。二階１０６の水廻りからの配管１０８は、一階１００の天井材１１０を貫通して配管スペース１０４内を通された後に一階１００の床材１１２を貫通して床下１１４まで通されている。
【０００４】
上述した一方の間仕切り壁１０２には、上下二箇所に設置された配管固定金具１１６の取付部１１６Ａがそれぞれ固定されている。そして、配管固定金具１１６の環状の配管保持部１１６Ｂ内に配管１０８が挿通されている。これにより、配管１０８は、一対の配管固定金具１１６によって一方の間仕切り壁１０２に支持されている。
【０００５】
【発明が解決しようとする課題】
しかしながら、上記構成による場合、配管固定金具１１６が間仕切り壁１０２に固定されているため、給排水時の配管振動が配管固定金具１１６から一方の石膏ボード１１８、間仕切りフレーム１２０、他方の石膏ボード１２２の順に伝播される。このため、居室側となる他方の石膏ボード１２２の面振動を誘起させ、騒音の原因になる。
【０００６】
なお、上記問題を解消するための手法として、配管自体に制振材や吸音材を巻き付ける手法や、前述した保持部の内側に環状の制振材が介装された配管固定金具を用いる手法等があるが、いずれもコストアップになる不利がある。
【０００７】
本発明は上記事実を考慮し、制振材や吸音材を使用することなく、室内騒音を低減することができる配管の防音支持構造を得ることが目的である。
【０００８】
【課題を解決するための手段】
請求項１記載の本発明は、複数の居室用ユニットを隣接して配置し相互に連結することにより構成されるユニット住宅に適用され、階上から階下に通された配管を、互いに対向して配置された隣接する居室用ユニットの間仕切り壁間に設けた配管スペースにて、配管保持部及び取付部を含んで構成される配管固定部材を用いて支持する配管の防音支持構造であって、階下の床材及び階下の天井材の少なくとも一方側に配管固定部材を配置し、床材側に配置された配管固定部材についてはその取付部を当該床部材に固定し、天井材側に配置された配管固定部材についてはその取付部を当該天井材に固定した、ことを特徴としている。
【０００９】
請求項２記載の本発明は、複数の居室用ユニットを隣接して配置し相互に連結することにより構成されるユニット住宅に適用され、階上から階下に通された配管を、互いに対向して配置された隣接する居室用ユニットの間仕切り壁間に設けた配管スペースにて、配管保持部及び取付部を含んで構成される配管固定部材を用いて支持する配管の防音支持構造であって、階下の床材側及び階上の床材側或いは階下の天井材側及び階上の天井材側に配管固定部材をそれぞれ配置し、床材側に配管固定部材を配置した場合にはその取付部を当該床材に固定し、天井材側に配管固定部材を配置した場合にはその取付部を当該天井材に固定した、ことを特徴としている。
【００１０】
請求項１記載の本発明によれば、配管固定部材の取付部を階下の床材及び天井材の少なくとも一方側に配置し、床材側に配置された配管固定部材についてはその取付部を当該床部材に固定し、天井材側に配置された配管固定部材についてはその取付部を当該天井材に固定したので、給排水時の配管振動は配管固定部材を介して床材又は天井材或いはこれらの双方に伝播される。すなわち、壁面に配管振動が直接伝播されることがなくなる。このため、壁面が面振動するのを抑制することができる。
【００１１】
請求項２記載の本発明によれば、階下の床材側及び階上の床材側或いは階下の天井材側及び階上の天井材側に配管固定部材をそれぞれ配置し、床材側に配管固定部材を配置した場合にはその取付部を当該床材に固定し、天井材側に配管固定部材を配置した場合にはその取付部を当該天井材に固定したので、請求項１記載の発明と同様に、給排水時の配管振動は配管固定部材を介して階下の床材及び階上の床材或いは階下の天井材及び階上の天井材に伝播される。すなわち、壁面に配管振動が直接伝播されることがなくなる。このため、壁面の面振動が発生するのを抑制することができる。
【００１２】
さらに、本発明によれば、階下の床材及び階上の床材或いは階下の天井材及び階上の天井材の組み合わせで配管固定部材を配置するので、配管固定部材が階下又は階上の配管スペースに集中しない。このため、階単位の配管振動量が半減される。
【００１３】
【発明の実施の形態】
〔第１実施形態〕
以下、図１〜図４を用いて、第１実施形態について説明する。
【００１４】
図１及び図２に示されるように、本実施形態に係る建物、即ちユニット住宅１０は、二階１２、一階１４、及び床下１６を含んで構成されている。一階１４を例にすると、図２に示されるように、複数の居室用ユニット１８を隣接配置して相互に連結していくことにより、一階１４が構成されている。
【００１５】
居室用ユニット１８が相互に隣接配置された状態では、双方の間仕切り壁２０が互いに対向しており、これらの間仕切り壁２０の間の空間が配管スペース２２とされている。別言すれば、本実施形態では、配管スペース２２を意図して設けるために、間仕切り壁２０を互いに対向して配置しているのである。なお、間仕切り壁２０は、枠状に組まれた間仕切りフレーム２４と、この間仕切りフレーム２４の内側及び外側にそれぞれ取り付けられた矩形平板状の石膏ボード２６、２８と、によって構成されている。
【００１６】
なお、以上の構成は、二階１２でも基本的には同様である。
ここで、上述した一階１４の配管スペース２２には、二階１２の水廻り（トイレ・キッチン等）からの配管（給排水管）３０が挿通されている。より具体的には、配管３０は、二階１２の配管スペース３２から一階１４の配管スペース２２を通り、更に床下１６へと導管されている。
【００１７】
図１に示されるように、上述した配管３０は、一階１４の配管スペース２２内において、「配管固定部材」としての一対の配管固定金具３４を用いて固定的に支持されている。詳しく説明すると、配管固定金具３４は、配管３０の外径に略一致する内径を有する環状の配管保持部３４Ａと、この配管保持部３４Ａの外周部からＴ字形に延出された取付部３４Ｂと、によって構成されている。
【００１８】
なお、この配管固定金具３４は所謂Ｔ字バンドと言われているものであるが、半円形状の配管保持部及びこの配管保持部の両端部から互いに離反する方向へ延出された一対の取付部から成る所謂サドルバンドと言われているものを用いてもよい。
【００１９】
上記構成の配管固定金具３４は、「階下の天井材」としての一階１４の天井材３６側及び「階下の床材」としての床材（パーチクルボード）３８側にそれぞれ配設されている。天井材３６の所定位置（配管３０の挿通位置の近傍）には、現場で生じた木製の端材４０が取り付けられている。この端材４０に一方の配管固定金具３４の取付部３４Ｂが図示しないスクリュー等の固定手段によって固定されている。そして、配管保持部３４Ａ内には配管３０が同軸的に挿通され、これにより配管３０は天井材３６に固定的に支持されている。
【００２０】
同様に、床材３８の所定位置（配管３０の挿通位置の近傍）には、別の端材４０が取り付けられている。この端材４０に他方の配管固定金具３４の取付部３４Ｂが図示しないスクリュー等の固定手段によって固定されている。そして、配管保持部３４Ａ内には配管３０が同軸的に挿通され、これにより配管３０は床材３８に固定的に支持されている。
【００２１】
なお、上述した天井材３６側及び床材３８側の各端材４０の寸法は、間仕切り壁２０の外側の石膏ボード２８と干渉しない程度に適宜選択されるよになっている。
【００２２】
次に、本実施形態の作用並びに効果について説明する。
本実施形態では、配管固定金具３４を一階１４の配管スペース２２内における天井材３６側と床材３８側とにそれぞれ配置し、床材３８側に配置された配管固定金具３４にあってはその取付部３４Ｂを端材４０を介して床材３８に固定し、天井材３６側に配置された配管固定金具３４にあってはその取付部３４Ｂを端材４０を介して天井材３６に固定したので、給排水時の配管振動は上下一対の配管固定金具３４を介して床材３８と天井材３６とに分散されて伝播される。
【００２３】
すなわち、本実施形態によれば、間仕切り壁２０の外側の石膏ボード２８（壁面）に配管振動が直接伝播されることがなくなる。このため、間仕切り壁２０の外側の石膏ボード２８が面振動（直接振動）するのを抑制することができ、更にこのことから内側の石膏ボード２６が面振動（固体伝播による共鳴振動）するのを抑制することができる。また、このように配管振動の振動エネルギーが床材３８及び天井材３６を経由することにより減衰されることから、間仕切り壁２０の石膏ボード２６、２８に伝播される振動エネルギー自体も減衰後の僅かなエネルギーとなる。これらの結果、本実施形態によれば、制振材や吸音材を使用することなく、室内騒音を低減することができる。
【００２４】
加えて、本実施形態では、上述したように配管固定金具３４を天井材３６側と床材３８側とにそれぞれ配置したので、居室用ユニット１８内に居る人の耳の高さから遠い位置（即ち、頭上相当位置及び足元相当位置）で配管３０を支持することになる。従って、この点も、居室用ユニット１８内に居る人からみた場合には、室内騒音の低減効果として知覚される。
【００２５】
上述した効果は、以下に説明する実験結果に顕れている。
図３に示される如く、配管固定金具３４を居室側の間仕切りに固定した場合（以下、「第１の場合」と称す）、配管固定金具３４を居室に対して奥側の間仕切りに固定した場合（以下、「第２の場合」と称す）、配管固定金具３４を床材側（又は天井材側）に固定した場合（以下、「第３の場合」と称す）の三つの場合において、居室側の測定点で騒音レベルがどの程度かを実験したものである。なお、この実験では、直管（継手部分なし）の場合、エルボ継ぎ形式Ａ、エルボ継ぎ形式Ｂの三つの配管形式についてそれぞれ調べた。また、配管固定金具３４の使用数は、それぞれ２個とした。
【００２６】
実験結果は、図４に示される通りであった。
補足説明すると、直管の場合で、従来構造に相当する第１の場合及び第２の場合のときには、測定点での騒音レベルはそれぞれ４２〔ｄＢ（Ａ）〕、４０〔ｄＢ（Ａ）〕であったのに対し、本実施形態に相当する第３の場合のときには３４〔ｄＢ（Ａ）〕と８〔ｄＢ（Ａ）〕低くなっていることが判る。
【００２７】
この傾向は、エルボ継ぎ形式Ａの場合、エルボ継ぎ形式Ｂの場合のいずれにおいても同様にみられた。ちなみに、エルボ継ぎ形式の場合には、本実施形態によれば、騒音レベルが９〔ｄＢ（Ａ）〕〜１１〔ｄＢ（Ａ）〕程度低くなった。
【００２８】
なお、直管の場合、エルボ継ぎ形式Ａの場合、エルボ継ぎ形式Ｂの場合の順に騒音レベルが高くなるのは、配管の屈曲箇所が無し、一箇所、二箇所という風に順次増えていくため、屈曲部位で給排水の打音が発生するためである。
〔第２実施形態〕
次に、図５を用いて、第２実施形態について説明する。なお、前述した第１実施形態と同一構成部分については、同一番号を付してその説明を省略する。
【００２９】
図５に示されるように、この実施形態では、一階１４の配管スペース２２の床材３８側及び「階上の床材」としての二階１２の配管スペース３２の床材４４側に配管固定金具３４がそれぞれ一つずつ配置されて、一階１４側の配管固定金具３４にあっては一階１４の床材３８に固定し、又二階１２側の配管固定金具３４にあっては二階１２の床材４４に固定した点に特徴がある。従って、本実施形態では、一階１４の天井材３６側及び二階１２の天井材（図示省略）側には、配管固定金具３４は配設されていない。
【００３０】
上記構成によれば、一階１４側にあっては配管固定金具３４を介して給排水時の配管振動が一階１４の床材３８に伝播され、二階１２側にあっては配管固定金具３４を介して給排水時の配管振動が二階１２の床材４４に伝播される。従って、第１実施形態の場合と同様に、間仕切り壁２０の外側の石膏ボード２８が面振動（直接振動）するのを抑制することができ、更にこのことから内側の石膏ボード２６が面振動（固体伝播による共鳴振動）するのを抑制することができる。従って、本実施形態によっても、制振材や吸音材を使用することなく、室内騒音を低減することができる。
【００３１】
さらに、本実施形態によれば、一階１４の床材３８と二階１２の床材４４とを組み合わせて配管固定金具３４をそれぞれ固定するので、配管固定金具３４による配管３０の固定箇所が一階１４の配管スペース２２内に集中しない。このため、第１実施形態に比し、一階１４の配管振動量が半減される。その結果、本実施形態によれば、各階ごとの室内騒音をより一層低減させることができる。
【００３２】
なお、上述した第１実施形態では、一階１４の配管スペース２２における床材３８側及び天井材３６側の双方に配管固定金具３４を配置したが、これに限らず、一階１４の配管スペース２２の床材３８側のみ或いは天井材３６側のみに配管固定金具３４を配置する構成を採ってもよい。
【００３３】
また、上述した第２実施形態では、一階１４の配管スペース２２における床材３８側及び二階１２の配管スペース３２における床材４４側に配管固定金具３４を配置したが、これに限らず、一階１４の配管スペース２２における天井材３６側及び二階１２の配管スペース３２における「階上の天井材」としての天井材側に配管固定金具３４を配置する構成を採ってもよい。
【００３４】
さらに、本実施形態では、給排水用の配管３０を例にして説明したが、これに限らず、配管スペース２２、３２内に設置される騒音発生源となる配管であれば、本発明はすべて適用可能である。
【００３５】
また、本実施形態では、配管固定部材として金属製の配管固定金具３４を用いたが、これに限らず、樹脂製等の配管固定部材を用いてもよい。
【００３６】
【発明の効果】
以上説明したように請求項１記載の本発明に係る配管の防音支持構造は、階下の床材及び階下の天井材の少なくとも一方側に配管固定部材を配置し、床材側に配置された配管固定部材についてはその取付部を当該床部材に固定し、天井材側に配置された配管固定部材についてはその取付部を当該天井材に固定したので、壁面が面振動するのを抑制することができ、その結果、制振材や吸音材を使用することなく、室内騒音を低減することができるという優れた効果を有する。
【００３７】
請求項２記載の本発明に係る配管の防音支持構造は、階下の床材側及び階上の床材側或いは階下の天井材側及び階上の天井材側に配管固定部材をそれぞれ配置し、床材側に配管固定部材を配置した場合にはその取付部を当該床材に固定し、天井材側に配管固定部材を配置した場合にはその取付部を当該天井材に固定したので、階単位の配管振動量を半減させることができ、その結果、室内騒音をより一層低減させることができるという優れた効果を有する。
【図面の簡単な説明】
【図１】第１実施形態に係る配管の防音支持構造を示す図２の１−１線に沿う断面図である。
【図２】配管スペースの水平断面図である。
【図３】実験例の内容を示す配管スペースの水平断面図である。
【図４】実験結果を示す表である。
【図５】第２実施形態に係る配管の防音支持構造を示す図１に対応する断面図である。
【図６】従来の配管の防音支持構造を示す図７の６−６線に沿う断面図である。
【図７】図６に示される配管スペースの水平断面図である。
【符号の説明】
１０ ユニット住宅
２０ 間仕切り壁
２２    配管スペース
３０    配管
３２    配管スペース
３４    配管固定金具（配管固定材）
３４Ａ  配管保持部
３４Ｂ  取付部
３６    天井材（階下の天井材）
３８    床材（階下の床材）
４４    床材（階上の床材）
【図１】
0003585353.tif 000002
【図２】
0003585353.tif 000003
【図３】
0003585353.tif 000004
【図４】
0003585353.tif 000005
【図５】
0003585353.tif 000006
【図６】
0003585353.tif 000007
【図７】
0003585353.tif 000008